(57)【要約】【課題】コストを増加させることなく、落下等の衝撃にも耐えうるデジタルカメラを提供すること。【解決手段】外装が、前面カバー(11)と背面カバー(12)で構成され、該前面カバー(11)と該背面カバー(12)の上面には、組み合わせられたときに略円形となる操作部材用の開口が二箇所以上(11a・12a、11b・12b)形成され、前記二箇所の開口の間で前記前面カバー(11)と前記背面カバー(12)との係合がなされる撮像装置(1)において、前記一方のカバー(11)には、前記二箇所の開口に沿った二個の突起形状(11c)が設けられ、前記他方のカバー(12)には、該突起形状(11c)に係合する腕部(12c)が設けられていることを特徴とする構成とした。【選択図】図４
2014202873.tif 000002
【特許請求の範囲】
【請求項１】
外装が、前面カバー(11)と背面カバー(12)で構成され、
該前面カバー(11)と該背面カバー(12)の上面には、組み合わせられたときに円形となる操作部材用の開口が二箇所以上(11a・12a、11b・12b)形成され、
前記二箇所の開口の間で前記前面カバー(11)と前記背面カバー(12)との係合がなされる撮像装置(1)において、
前記一方のカバー(11)には、前記二箇所の開口に沿った二個の突起形状(11c)が設けられ、
前記他方のカバー(12)には、該突起形状(11c)に係合する腕部(12c)が設けられていることを特徴とする撮像装置。
【請求項２】
前記二個の突起形状(11c)は、開口部の円弧形状に沿って、カバーの割り線から奥へ行くに従って間隔が広くなることを特徴とする請求項１に記載の撮像装置。
【発明の詳細な説明】
【技術分野】
【０００１】
本発明は、撮像装置に関し、特に低コストで落下衝撃に耐えられる撮像装置に関するものである。
【背景技術】
【０００２】
近年、デジタルカメラの外装には、外観品位及び小型・薄型化を求めるために金属外装が使用されることが多い。外装は大きく分けて前面カバーと背面カバーから構成され、両側面と底面でビス締めにより締結される。上面は外観品位上、ビス締めではなく前面カバーと背面カバーのフッキングによりカバー同士の隙間を小さくする構成が一般的である。
【０００３】
特許文献１では、薄板板金を前面カバーと背面カバーの両方にかしめ、前面カバーにかしめられた薄板板金の穴形状と背面カバーにかしめられた薄板板金の凸形状が係合する構成となっている。
【０００４】
また、図５(ａ)、(ｂ)に示すように金属外装自体にフッキングのための穴形状及び突起形状を形成し、それぞれを係合させる構成も一般的である。
【先行技術文献】
【特許文献】
【０００５】
【特許文献１】特開２０１０‐１８２７９８号公報
【発明の概要】
【発明が解決しようとする課題】
【０００６】
しかしながら、特許文献１のように薄板板金を金属外装にかしめる構成では、部品数の増加及びかしめ工程追加によりコストが増大してしまう。また、前面カバーと背面カバーの係合に薄板板金２部品を介することにより寸法公差が積み重なり、上面の隙間を規格内に入れるために非常に厳しい公差設定をする必要があった。
【０００７】
図５(ａ)、(ｂ)のように金属外装自体に曲げ加工・打ち抜き加工・シェービング加工を加えて、フッキングの穴形状及び突起形状を形成すると、部品数の増加はなく、コストを抑えられる。しかし、デジタルカメラの上面にはズームレバー、レリーズボタン、電源ボタンなどの操作部材があり、フッキングに使用できるスペースは限られている。金属外装でフッキング形状を形成した場合、突起形状の幅を小さくせざるを得ない。落下等の衝撃が加わると、両カバーはお互い開く方向に力を受け、特に突起形状部にせん断応力が集中する。レリーズボタンと電源ボタンの間のフッキング部は、外装のビス締め部から最も離れており、落下の衝撃により変形・破損するという問題があった。
【０００８】
本発明は、このような従来技術の問題点に鑑みて成されたものであり、コストを抑えたまま落下等の衝撃にも耐えうるデジタルカメラを提供することを目的としている。
【課題を解決するための手段】
【０００９】
上記目的を達成するために、本発明は、外装が前面カバーと背面カバーで構成され、該前面カバーと該背面カバーの上面には、組み合わせられたときに円形となる操作部材用の開口が二箇所以上形成され、前記二箇所の開口の間で前記前面カバーと前記背面カバーとの係合がなされる撮像装置において、前記一方のカバーには、前記二箇所の開口に沿った二個の突起形状が設けられ、前記他方のカバーには、該突起形状に係合する腕部が設けられていることを特徴とする。
【発明の効果】
【００１０】
本発明によれば、コストを抑えたまま落下等の衝撃にも耐えうるデジタルカメラを提供することができる。
【図面の簡単な説明】
【００１１】
【図１】本発明を適用した撮像装置の外観図
【図２】本発明を適用した撮像装置の実施例における分解斜視図
【図３】本発明を適用した撮像装置の実施例におけるカバーの斜視図
【図４】本発明を適用した撮像装置の実施例におけるカバーのみの断面図
【図５】従来例における撮像装置のカバーのみの断面図
【発明を実施するための形態】
【００１２】
以下に、本発明の好ましい実施の形態を、添付の図面に基づいて詳細に説明する。図１は、本発明の実施形態にかかわるデジタルカメラの外観図である。図１に示すように、デジタルカメラ１の外装は大きく分けて前面カバー１１と背面カバー１２とから構成される。本実施例では、前面カバー１１と背面カバー１２には、デジタルカメラの薄型化のためにアルミニウム合金材が使用されている。デジタルカメラ１の上面には、レリーズボタン１３、ズームレバー１４、電源ボタン１５を備えている。背面から見て、右側面部にはＵＳＢケーブルやオーディオケーブルを接続するコネクタを有し、コネクタを覆い隠すジャックカバー１６を備える。ジャックカバー１６にはエラストマなどの弾性部材が用いられる。
【００１３】
図２に前面カバー１１、背面カバー１２及びジャックカバー１６を取り外した分解斜視図を示す。前面カバー１１には、ズームレバー１４と電源ボタン１５に対応する位置に開口部１１ａ、１１ｂが形成されている。背面カバー１２にも同様に開口部１２ａ、１２ｂが形成されている。前面カバー１１は上面をビス１７ａでトップベース１８にビス締め固定される。ビス１７ａは背面カバー１２が組まれることにより隠され、外観上の品位を損なわない。
【００１４】
また、上述したコネクタの上部でビス１７ｂにより前面カバー１１と背面カバー１２が共締めでビス締め固定される。このように前面カバー１１の上面開口部１１ａ及び１１ｂ近傍のビス締め位置はビス１７ａ、１７ｂで固定される位置となる。特に図示して説明しないが、両側面と底面はビス締めにより強固に外装が固定される。
【００１５】
図３(ａ)に前面カバー１１の単部品斜視図、図３(ｂ)に背面カバー１２の単部品斜視図を示す。前面カバー１１と背面カバー１２が本体に組み付けられると前面カバーの突起形状１１ｃ、１１ｄがそれぞれ対向する背面カバーの腕部１２ｃ、１２ｄと係合する。ここで、突起形状１１ｃは前面カバーの開口部１１ａ及び１１ｂに沿った突起形状であり、突起形状１１ｄは上面の割り線に沿った突起形状である。前面カバー１１と背面カバー１２を組み付けた時の断面図を図４(ａ)に示す。分かりやすいようにカバーのみの表示としている。また、図４(ａ)の二点鎖線部の拡大図を図４(ｂ)に示す。
【００１６】
前面カバーと背面カバーが上面でビスにより共締め固定されていないカメラでは、落下などの衝撃を受けると、前面カバー１１と背面カバー１２の上面がお互い開く方向に力が働く。上述した通り、前面カバー１１は側面コネクタ上部と上面１箇所がビス締め固定されている。前面カバーの開口部１１ａと１１ｂの間に形成されている突起形状１１ｃは上記２箇所のビス締め位置から最も離れている。よって、突起形状１１ｃには衝撃によりカバーが開こうとする力が最も大きく働く。
【００１７】
図５に示す従来例において突起形状２１ｃは、せん断方向の厚みが板厚であり、幅も小さいために落下の衝撃により破損するおそれがあった。本実施例では、突起形状１１ｃを前面カバーの開口部１１ａと１１ｂに沿って形成しているために、せん断方向の厚みを十分大きくとることができている。また、開口部１１ａ、１１ｂは円形であるために突起形状１１ｃはハの字のように広がり、背面カバーの係合腕部１２ｃとの掛かり量も十分確保することができる。
【００１８】
開口部１１ａ、１１ｂの外側に設けられる突起形状１１ｄは、片方は上面ビス締め部に近く、もう一方は側面上部のビス締め部に近い。よって、落下の衝撃による開き量も小さいために従来と同等の突起形状でも破損するおそれはない。
【００１９】
このように、上面のズームレバーや電源ボタンの円形開口部に沿って、カバーの係合突起部を形成することにより、コストを増加させることなく落下などの衝撃にも耐えうるデジタルカメラを提供することができる。
【００２０】
以上、本発明の好ましい実施形態について説明したが、本発明はこれらの実施形態に限定されず、その要旨の範囲内で種々の変形及び変更が可能である。
【符号の説明】
【００２１】
１  …デジタルカメラ
１１…前面カバー
１２…背面カバー
１３…レリーズボタン
１４…ズームレバー
１５…電源ボタン
１６…ジャックカバー
１７…ビス
１８…トップベース
【図１】
2014202873.tif 000003
【図２】
2014202873.tif 000004
【図３】
2014202873.tif 000005
【図４】
2014202873.tif 000006
【図５】
2014202873.tif 000007